(57)【要約】【課題】  円筒形の貯湯タンクが露出した貯湯式電気温水器を梱包枠体に簡易かつ堅固に固定して保管・搬送時にこれを保護する一方、設置工事の際に梱包枠体から取り出した貯湯式電気温水器の取り扱いを容易化する。【解決手段】  円筒形状の貯湯タンク(12)が露出した構造の貯湯式電気温水器(10)の保管・搬送時にこれを保護するために使用される貯湯式電気温水器全体を収容する直方体枠形状の梱包枠体(16)への貯湯式電気温水器の固定構造であって、前記貯湯タンクの外周側面上段には棒材(18)を垂直方向に挿し嵌めるための挿入部(22)が取り付けられており、前記梱包枠体の上面の補強材(24)に、該挿入部に挿し嵌めた棒材が補強材とＴ字をなして固定される。ここで前記梱包枠体の上面の補強材には下向きに開口するカップ状のカップ体(26)が取り付けられており、棒材の上端部が該カップ体に嵌挿されることで貯湯式電気温水器が梱包枠体に着脱自在に固定される。【選択図】  図５
2006322652.tif 000002
【特許請求の範囲】
【請求項１】
円筒形状の貯湯タンク（１２）が露出した構造の貯湯式電気温水器（１０）の保管・搬送時にこれを保護するために使用される直方体枠形状の梱包枠体（１６）への貯湯式電気温水器の固定構造であって、
前記貯湯タンクの外周側面上段には棒材（１８）を垂直方向に挿し嵌めるための挿入部（２２）が取り付けられており、該挿入部に挿し嵌めた棒材が、前記梱包枠体の上面をなす補強材（２４）にＴ字をなして固定される、ことを特徴とする梱包枠体への貯湯式電気温水器の固定構造。
【請求項２】
前記梱包枠体（１６）の上面の補強材（２４）には下向きに開口するカップ状のカップ体（２６）が取り付けられており、
前記棒材（１８）の上端部が該カップ体に嵌挿されることで貯湯式電気温水器（１０）が梱包枠体に固定される、ことを特徴とする請求項１に記載の梱包枠体への貯湯式電気温水器の固定構造。
【請求項３】
前記貯湯タンク（１２）には軸線方向下方に延出する脚部（２８）が取り付けられており、該脚部下端が前記梱包枠体（１６）の底面にボルト固定される、ことを特徴とする請求項１又は２に記載の梱包枠体への貯湯式電気温水器の固定構造。
【請求項４】
前記挿入部（２２）は貯湯タンク（１２）に取り付けられた際に貯湯タンクとの間に軸線を垂直方向とする三角柱状の空間を形成する略Ｌ字型に形成された金属板材である、ことを特徴とする請求項１乃至３のいずれか一項に記載の梱包枠体への貯湯式電気温水器の固定構造。
【請求項５】
前記挿入部（２２）には貫通孔（３２）が形成され、また該挿入部に挿し嵌めた前記棒材（１８）の貫通孔に対応する位置には凹穴（３４）が形成されており、
貫通孔および凹穴にピン（３６）を挿入することにより前記棒材の前記挿入部からの抜け落ちを防止する、ことを特徴とする請求項１乃至４のいずれか一項に記載の梱包枠体への貯湯式電気温水器の固定構造。
【請求項６】
前記棒材（１８）が木材または不燃材で作られた三角柱、四角柱または五角柱である、ことを特徴とする請求項４又は５に記載の梱包枠体への貯湯式電気温水器の固定構造。
【請求項７】
前記棒材（１８）が中空円管または中実円管である、ことを特徴とする請求項４又は５に記載の梱包枠体への貯湯式電気温水器の固定構造。
【発明の詳細な説明】
【技術分野】
【０００１】
本発明は保管・搬送時に貯湯式電気温水器を保護するために使用される直方体枠形状の梱包枠体への貯湯式電気温水器の固定構造に関し、特に円筒形状の貯湯タンクが外部に露出した構造の貯湯式電気温水器に適用することを目的とした梱包枠体への貯湯式電気温水器の固定構造に関するものである。
【背景技術】
【０００２】
近年、集合住宅などでは火災の発生防止等の観点から、ガス設備の使用を避けた電化住宅が増加している。かかる電化住宅では給湯を行うために電気温水器が使用される。
貯湯式電気温水器とは、通電することで発熱するニクロム線を銅管に収めた加熱装置、またはニクロム線と銅管の間にアルミナのような熱の伝導体を詰めた加熱装置を、堅牢な断熱構造を有する鋼板製の貯湯タンクの中に設置した装置で、給湯されるの温水の温度を、サーモスタットにより一定に維持できるようになっている。この電気温水器は、電気料金の安い夜間電力を利用して沸かした温水を貯湯タンクに貯蔵しておき、電気料金の高い昼間の電力を利用することなく貯蔵した温水を日中等に使用するものである。
なお貯湯タンク等はその保護のため、直方体形状のケーシングに収められることが多い。
【０００３】
貯湯式電気温水器はその高い安全性、低環境負荷、低ランニングコストおよび静粛性から、電化住宅に限らず集合住宅全般に特に適しているものの、高い昼間の電力の使用を避け安い夜間電力を使用して沸かした温水を使用するために、1日の給湯使用量に充分な貯湯タンクを設けてやることが必須となる。
これまでマンションやアパート等の集合住宅において貯湯式電気温水器を使用する場合には、貯湯式電気温水器を収納するためのスペースを住戸内に独自に設けたり、ベランダやバルコニーに貯湯タンクを設置したりしていた。しかし、住戸内に貯湯式電気温水器用のスペースを設ける場合には居住空間を圧迫し、またベランダ等に貯湯式電気温水器を設置する場合には、給水・給湯のための配管が面倒になるだけでなく、貯湯タンクと台所等の温水の使用場所とが遠いため蛇口を開いてから湯が出てくるまでに時間がかかるといった問題があった。
【０００４】
そのため本願出願人は下記特許文献１において、マンション等の集合住宅の電力幹線、ガス本管、給水本管、排水本管等のパイプ類を通すとともに各種メーター類を配置するために天井とスラブとの間に形成される略直方体形状の空間をなすパイプスペースに貯湯式電気温水器を設置する発明を創案している。
この発明によればパイプスペースを有効活用してここに貯湯式電気温水器を設置することにより、居住空間を圧迫することなく、また、給水・給湯のための配管を短くすることで、蛇口を開いてから湯が出てくるまでの時間を短縮することができる。さらに、貯湯式電気温水器が屋内空間である堅牢なパイプスペース内に収容されるため、従来必要とされていた貯湯タンク等の保護のために必要とされていたケーシングが不要となり、貯湯式電気温水器の製造コストが低減されるといった副次的効果もある。
【特許文献１】特願２００４−１３０４０１号（未公開）
【発明の開示】
【発明が解決しようとする課題】
【０００５】
上記特許文献１に記載の発明に使用される貯湯式電気温水器はそのケーシングを不要とすることができるものの、貯湯タンク等がそのまま露出することとなるため、その保管や運搬時には貯湯式電気温水器を保護するための保護体が必要となる。この保護体としては一般に木材により直方体枠形状に形成した木枠があり、貯湯式電気温水器はこの木枠（梱包枠体）にその全体が収容されて固定されることになる。なお木枠（梱包枠体）の各面には随所に補強のための補強材が取り付けられている。
【０００６】
ここで貯湯式電気温水器の外形の多くを占める貯湯タンクは円筒形をしているため、梱包枠体への貯湯式電気温水器の固定は一般には発泡スチロール等の緩衝材を貯湯タンクと梱包枠体との間に介在してやるか、貯湯タンクを複数の布ベルト等によってがたつかないように梱包枠体に固定してやることで行われることとなる。
【０００７】
しかしながら緩衝材による固定では貯湯式電気温水器を設置した後に大量の緩衝材が廃棄物として発生し、また、布ベルト等による固定では固定作業に多くの手間を要するといった問題があった。
【０００８】
また設置場所において梱包枠体から取り出された貯湯式電気温水器はその外形が円筒形をしているため、設置工事において手作業によって短い距離を持ち運ぶ場合にもその取り扱いが難しく、ともすれば手を滑らせて貯湯式電気温水器を落として破損してしまう危険性があった。
【０００９】
本発明は上記問題点に鑑みて創案されたものであり、円筒形の貯湯タンクが露出した貯湯式電気温水器を梱包枠体に簡易かつ堅固に固定して保管・搬送時にこれを保護する一方、設置工事の際に梱包枠体から取り出した貯湯式電気温水器の取り扱いを容易化することができる梱包枠体への貯湯式電気温水器の固定構造を提供することを目的とする。
【課題を解決するための手段】
【００１０】
上記目的を達成するため請求項１に記載の発明は、円筒形状の貯湯タンク（１２）が露出した構造の貯湯式電気温水器（１０）の保管・搬送時にこれを保護するために使用される直方体枠形状の梱包枠体（１６）への貯湯式電気温水器の固定構造であって、前記貯湯タンクの外周側面上段には棒材（１８）を垂直方向に挿し嵌めるための挿入部（２２）が取り付けられており、該挿入部に挿し嵌めた棒材が、前記梱包枠体の上面をなす補強材（２４）にＴ字をなして固定される、ことを特徴とする梱包枠体への貯湯式電気温水器の固定構造を提供する。
【００１１】
請求項２に記載の発明は請求項１に記載の発明において、前記梱包枠体（１６）の上面の補強材（２４）には下向きに開口するカップ状のカップ体（２６）が取り付けられており、前記棒材（１８）の上端部が該カップ体に嵌挿されることで貯湯式電気温水器（１０）が梱包枠体に固定される、ことを特徴とする。
【００１２】
また請求項３に記載の発明は請求項１又は２に記載の発明において、前記貯湯タンク（１２）には軸線方向下方に延出する脚部（２８）が取り付けられており、該脚部下端が前記梱包枠体（１６）の底面にボルト固定される、ことを特徴とする。
【００１３】
請求項４に記載の発明は請求項１乃至３に記載の発明において、前記挿入部（２２）は貯湯タンク（１２）に取り付けられた際に貯湯タンクとの間に軸線を垂直方向とする三角柱状の空間を形成する略Ｌ字型に形成された金属板材である、ことを特徴とする請求項１乃至３のいずれか一項に記載の梱包枠体への貯湯式電気温水器の固定構造。
【００１４】
請求項５に記載の発明は請求項１乃至４に記載の発明において、前記挿入部（２２）には貫通孔（３２）が形成され、また該挿入部に挿し嵌めた前記棒材（１８）の貫通孔に対応する位置には凹穴（３４）が形成されており、貫通孔および凹穴にピン（３６）を挿入することにより前記棒材の前記挿入部からの抜け落ちを防止する、ことを特徴とする。
【００１５】
請求項６に記載の発明は請求項４又は５に記載の発明において、前記棒材（１８）が木材または不燃材で作られた三角柱、四角柱または五角柱である、ことを特徴とし、請求項７に記載の発明は請求項４又は５に記載の発明において、前記棒材（１８）が中空円管または中実円管である、ことを特徴とする。
【発明の効果】
【００１６】
請求項1に記載の梱包枠体への貯湯式電気温水器の固定構造によれば、貯湯タンクの外周側面上段に設けた挿入部に挿し嵌めた棒材を、梱包枠体の上面の補強材とＴ字をなすように固定することで、緩衝材や布ベルトを用いることなく貯湯式電気温水器の上側を梱包枠体に固定することができる。
【００１７】
請求項２に記載の発明によれば、梱包枠体の上面の補強材に下向きに開口するカップ状のカップ体を設け、ここに挿入部に挿し嵌めた棒材の上端部を挿し嵌めることで、貯湯式電気温水器の上側を簡易に梱包枠体に固定してやることができる。なおかかる構成によれば梱包枠体から取り出された貯湯式電気温水器に棒材を取り付けたままにしておくことが可能であるため、これを運搬時における持ち手として使用してやることで、貯湯式電気温水器の取り扱いを容易化してやることができる。
【００１８】
請求項３に記載の発明によれば、貯湯タンクに取り付けた脚部を梱包枠体の底面（梱包枠体または底面の補強材）にボルト固定することで貯湯式電気温水器の下側を梱包枠体に固定してやることができる。なお脚部を固定するために設けられるボルト穴は、本来は貯湯式電気温水器を設置場所（パイプスペース）のスラブ面等にボルト固定するために設けられたものである。
【００１９】
請求項４に記載の発明によれば、挿入部を略Ｌ字型に形成した金属板材とすることで、貯湯タンクへの挿入部の溶接等による取り付けを堅固かつ容易に行うことができる。
【００２０】
請求項５に記載の発明によれば、挿入部に形成した貫通孔および棒材に形成した凹穴にピンを挿入し挿入部に挿し嵌めた棒材の抜け落ちを防止してやることで、貯湯式電気温水器に簡易に棒材を取り付けてやることができる。これにより棒材を挿入部に対して簡易に着脱自在とすることができる。
【００２１】
請求項６および７に記載の発明によれば、略Ｌ字型の挿入部と貯湯タンクの間に形成される略三角柱状の空間に、比較的その断面形状が単純かつ大きく、運搬時に貯湯式電気温水器を支えるのに十分な強度を有する棒材を挿し嵌めてやることができる。
【発明を実施するための最良の形態】
【００２２】
本発明は、主としてマンション等の集合住宅におけるパイプスペース内に設置することを目的とした円筒形状の貯湯タンクが露出した構造の貯湯式電気温水器に主に適用されるものであり、保管・搬送時に貯湯式電気温水器を保護するために使用される直方体枠形状の梱包枠体への貯湯式電気温水器の固定構造に関するものである。
以下、まず一般的なパイプスペースの構造ついて説明し、それから貯湯式電気温水器および梱包枠体の構造について順に説明する。
【実施例１】
【００２３】
貯湯式電気温水器をパイプスペース内に設置した状態を示した側面透視図である図１および正面透視図図２、貯湯式電気温水器等をスラブ面側から見上げた状態の透視図である図３に示したように、一般的にマンション等の集合住宅の住居区画と共用通路との間に設けられるパイプスペース５０は、各階層を上下方向に貫通する共用竪管である電力幹線５９ａ、ガス本管、給水本管５９ｂ、排水本管５９ｃ等のパイプ類を通すとともに各種メーター類を配置するために、天井５３とスラブ５５との間に形成された空間である。
図１に示したように本発明に用いられる貯湯式電気温水器１０を設置するためのパイプスペース５０は、幅および奥行きが０．９ｍ程度、高さが１．９ｍ程度の直方体形状の空間であり、共用通路側の面には検針・点検用の開閉扉５７が設けられる。
このパイプスペース５０には貯湯式電気温水器１０を設置するために、図３に示したように、電力幹線５９ａ、給水本管５９ｂ、排水本管５９ｃ等の複数本のパイプ類がパイプスペース５０の奥側の二隅に配置されており、その手前側に貯湯式電気温水器１０が長手方向を垂直方向にして配置される。また使用水量の計量を行う量水器６１がスラブ面近傍に設置されている。
【００２４】
一方、貯湯式電気温水器１０は、昼間から夜間にかけて使用する湯を電気料金の安い深夜電力を利用して加熱した温水を貯蔵する貯湯タンク１２と、貯湯式電気温水器１０の運転の制御を行う制御盤６３と、配管類、ポンプ、混合弁、追炊用熱交換器等の付帯設備群６５とから構成されている。
【００２５】
貯湯タンク１２は深夜電力を利用して加熱した湯を蓄える軸線を鉛直方向にして設置される円筒形状をなす金属タンクであり、直径が０．６ｍ程度、高さが１．５ｍ程度で４００リットル程度の貯湯容量を有している。また、貯湯タンク１２の内部には、電力を用いて熱を発生するための加熱装置（図示せず）が設けられている。なお貯湯タンクの外周は、タンクの設置直前に厚さ５ｃｍ程度の断熱材６２で覆われることとなる。
図１、図２および図３からも分かるように、この貯湯タンク１２は、その外周側面下段から軸線方向下方に延出する４本の脚部２８によりスラブ面から１０〜２０ｃｍ程度持ち上げられた状態で支持される。各脚部２８は断面略Ｌ字状の金属製板材からなり、パイプスペース５０のコーナーに配置されるように隣接する脚部２８が互いに約９０度の角度をなして貯湯タンク１２に溶接等の接着手段により取り付けられている。また、脚部２８の下端部にはボルト挿通孔を開設したフランジ部６９が設けられている（図３参照）。このボルト挿通孔に挿通したボルト７３の先端部にナットを螺着することにより、貯湯式電気温水器１０はパイプスペース５０のスラブ面に固定される。
また貯湯タンク１２の外周側面上段には、４本の脚部２８とその垂直軸を同じくして後述する棒材１８を垂直方向に挿し嵌めるための４つの挿入部２２が溶接等の接着手段により取り付けられている（図１および図２参照）。図４にこの挿入部２２の斜視図を示した。挿入部２２は上述した脚部２８と同様に、断面略Ｌ字状の二等辺が５ｃｍ程度で長さが約１０ｃｍ程度の金属製板材からなり、その側面にはピン３６を挿入するための貫通孔３２が形成されている。
【００２６】
制御盤６３は幅が２５ｃｍ程度、奥行きが７ｃｍ程度、高さが３５ｃｍ程度の略直方体形状をなし、操作面には制御スイッチや表示器等が配設たもので、パイプスペース５０上段の開閉扉側のコーナースペースに配置されるよう操作面を開口扉側に向けて貯湯タンク１２に取り付けられる。
【００２７】
配管類、ポンプ、混合弁、追炊用熱交換器等の付帯設備群６５は図１等に示したように、制御盤６３の下方位置に、付帯設備群６５がコーナースペースに効率的に収容されるよう全体として縦長に各機器が配置されて貯湯タンク１２に止着される。
貯湯タンク１２には、図３に示したように、給水配管５９ｂ’、給湯配管７１ａ、浴槽への送り配管７１ｂ、浴槽からの戻り配管７１ｃが接続されており、各配管の途中にはそれぞれ開閉弁が設けられている。また、給水配管５９ｂ’の途中には、量水器６１が設けられている。
給水本管５９ｂには、量水器を介して貯湯タンク１２の給水配管５９ｂ’が接続されており、給水本配管５９ｂ’から貯湯タンク１２に給水が行われる。また、排水本管５９ｃには、貯湯タンク１２の上部に設けたオーバーフロー配管５９ｃ’、および貯湯タンク１２の下部に設けたドレン配管５９ｃ”が接続されており、貯湯タンク１２からの排水が行われる。
なお給水配管５９ｂ’は給水本管５９ｂから給水を行う配管であり、給湯配管７１ａは貯湯タンク内の温水を台所、洗面所等の温水蛇口へ送るための配管であり、送り配管７１ｂは浴槽へ温水を送るための配管であり、戻り配管７１ｃは浴槽内の水を付帯設備群６５中の追炊用熱交換器へ導入するための配管である。浴槽に蓄えられた湯の追い焚きを行う際には、戻り配管７１ｃを介して追炊用熱交換器へ湯が戻され、再加熱された湯が送り配管７１ｂにより再び浴槽へ送られる。
ここで、各配管の接続を容易かつ確実にするという観点から、各配管の屈曲箇所にはフレキシブル管を用いることができる。また、各配管は、温水の温度低下を防止するという観点から、断熱構造を有することが好ましい。
【００２８】
図５及び図６は梱包枠体に上述した貯湯タンク１２が露出した構造の貯湯式電気温水器１０を収容した状態を示した側面図（図５）および正面図（図６）であり、図７はその平面図である。貯湯式電気温水器１０の保管・搬送時に貯湯式電気温水器を保護するために使用される梱包枠体１６は、木材をトラス構造に組み合わせることにより直方体枠形状に形成され、各面には図に示したような補強のための補強材２４（筋交い）が取り付けられている。
【００２９】
図５及び図６に示したように梱包枠体１６の底面を補強する補強材２４には、貯湯式電気温水器１０を梱包枠体１６に収容した際に貯湯タンク１２に取り付けられた脚部２８の下端部のフランジ部６９に開設された各ボルト挿通孔に対応する位置に、ネジ部が上向きに突出する４本のボルト７３が予め取り付けられている。
【００３０】
貯湯式電気温水器１０をこの梱包枠体１６内に収容する前には、まず、貯湯タンク１２の外周側面上段に取り付けた挿入部２２と貯湯タンク１２が形成する空間に棒材１８が挿し嵌められる。
この棒材１８は、貯湯タンク１２に挿入部２２を取り付けた状態の断面図を示した図８（ａ）に示したように、横断面形状が直角二等辺三角形の２つの等角の先端を若干裁断した五角形の木材（または不燃材）からなる。木材を用いたのは金属と比べて軽量・安価であるためであり、また棒材１８は保管・運搬時に一時的に利用されるものであるため長期に亘る耐久性は要求されないからである。またこのような断面形状としたのは、挿入部２２と貯湯タンク１２との間に形成される略直角二等辺三角形柱状の空間に一致するような形状に棒材１８を形成しようとするとその断面の底辺を貯湯タンク１２の外周面に沿った弧状に凹み加工する必要があるため手間を要し、また、底辺を凹み加工しない場合にも２つの等角が鋭角となるため棒材１８を持ち手とする際に都合が悪く、さらに鋭角部分は破損しやすいためである。なお図８（ｂ）に示したように、四角い断面形状の棒材も使用することも可能であるが、五角形断面形状の棒材と比べて断面積が小さいため強度が低く、また、棒材の角が貯湯タンク１２を傷つける可能性もあるためあまり好ましくない。しかしながらこのことは三角柱や四角柱の棒材の使用を排除することを意味するものではない。
また棒材１８の一端には貯湯タンク１２の外周側面上段に取り付けた挿入部２２に挿し嵌めた際に挿入部の貫通孔３２に対応する位置に凹穴３４が形成されている。貯湯タンク１２への棒材１８の取り付けは、上方から挿入部２２に棒材１８を挿し嵌め、挿入部の貫通孔３２と棒材の凹穴３４とを一致させた上で、ここにピン３６を差し入れることにより行われる。これにより挿入部からの棒材の抜け落ちが防止される。
【００３１】
貯湯タンク１２に棒材１８を取り付けた後には、正面および上面を除く両側面、背面、底面面を組み付けたバケット状の枠体内に貯湯式電気温水器１０を据え置き、次いで梱包枠体１６底面の補強材２４の各ボルト７３を脚部下端部のフランジ部６９の各ボルト挿通孔に挿入し、脚部２８をボルト・ナットにより補強材２４に固定することで、貯湯式電気温水器１０の下部を梱包枠体１６に固定してやる。その後、前面となる枠体および上面となる枠体をバケット状の枠体に組み付けてやる。その際上面となる枠体に設けられた補強材２４と挿入部２２に挿し嵌めた棒材１８とが、Ｔ字をなすようにしてくぎや木ネジ３７を用いて両者を固着し、貯湯式電気温水器１０の上部を梱包枠体１６に連結・固定してやる。くぎや木ネジを用いた補強材２４と棒材１８との固定は、図７に示したように垂直方向から行ってもよいし、図９に示したようなタイプの補強材を用いる場合には水平方向から行ってもよい。
これにより貯湯式電気温水器１０は梱包枠体１６に上部と下部が固定され、梱包枠体１６内に貯湯式電気温水器１０がしっかりと固定される。
【００３２】
以上説明したように本実施例の梱包枠体への貯湯式電気温水器の固定構造によれば、貯湯タンクに取り付けた挿入部に棒材を挿し嵌め、この棒材を梱包枠体に固着してやることで、円筒形の貯湯タンクが露出した貯湯式電気温水器を梱包枠体に簡易かつ堅固に固定して保管・搬送時にこれを保護してやることができ、緩衝材や布ベルトを用いた固定方法による問題を解消することができる。さらに、貯湯タンクに取り付けた棒材は梱包枠体から分離可能であるため、設置場所において梱包枠体から取り出した貯湯式電気温水器の持ち運びの際の持ち手として利用することができ、その取り扱いを容易化してやることができる。この棒材は貯湯式電気温水器を設置位置に運搬した後にはピンを抜いて取り去られる。
なお梱包枠体と貯湯式電気温水器との間に補助的に発砲スチロール等の緩衝材を介在させ、また、布ベルトを用いて梱包枠体内での貯湯式電気温水器のがたつきをより確実に防止してやることも勿論可能である。
【実施例２】
【００３３】
実施例２は、上述した実施例１に係る梱包枠体への貯湯式電気温水器の固定構造とほぼ同様の構成を有しているが、棒材および梱包枠体の上面となる枠体の構成を上記と異にする。
そのため以下、実施例１と同様の部材には同一の符号を付して詳細な説明を省略し、実施例１と異なる部分についてのみ説明する。
【００３４】
図９は、本発明の実施例２に係る梱包枠体への貯湯式電気温水器の固定構造に用いられる梱包枠体の上面となる枠体の斜視図（図９（ａ）は表面、図９（ｂ）は裏面）である。
【００３５】
図に示したように、梱包枠体１６の上面となる枠体の基本構造は上記実施例１と同様であるが、その補強材２４には貯湯タンク１２に取り付けた棒材１８の上端が来る位置に下向きに円形に開口するカップ状のカップ体２６が４つ設けられている。このカップ体２６は合成樹脂により作成され、その開口の内径は棒材１８の直径とほぼ同様であり、１０ｃｍ程度の深さを有している。なお補強材２４へのカップ体２６の取り付けは複数の木ねじを用いて行われている。
【００３６】
このカップ体に挿し嵌められる棒材１８はアルミ等の軽金属製の中空円管であり、その一端には実施例１の棒材と同様に凹穴３４が形成されている。なお棒材１８の材質は金属に限られるものではなく、合成樹脂や木材等を使用することもできる。木材を使用する場合、強度確保の点から棒材１８は中実円管とすることが望ましい。
【００３７】
ここで棒材１８を中空円管の他に角の丸まった略三角形（いわゆる「おにぎり形」）や楕円形の断面を有する略中空円管とすることも好ましい。棒材をおにぎり形や楕円形の断面の略中空円管とすることで棒材の強度を向上させることができる。この様な棒材を使用する場合にはカップ体２６の開口の形状も当然におにぎり形や楕円形とする必要がある。
【００３８】
貯湯式電気温水器１０をこの梱包枠体１６内に収容する際には、その前にまず貯湯タンク１２の外周側面上段に取り付けた挿入部２２に棒材１８が挿し嵌め、挿入部の貫通孔３２と棒材の凹穴３４とを一致させてピン３６を差し入れることで棒材１８を貯湯タンク１２に取り付ける。
【００３９】
次いで正面および上面を除く両側面、背面、底面面を組み付けたバケット状の枠体内に貯湯式電気温水器１０を据え置き、梱包枠体１６底面の補強材２４の各ボルト７３により脚部２８を固定する。その後、前面となる枠体および上面となる枠体をバケット状の枠体に組み付けてやる。その際、上面となる枠体の補強材２４に取り付けられたカップ体２６を、上方から下方に向けて貯湯タンク１２に取り付けた棒材１８の上端に被せるようにして棒材の上端部をカップ体２６に挿し嵌める。これにより補強材２４と棒材１８とはＴ字をなし、貯湯式電気温水器１０の上部が梱包枠体１６に固定される。
【００４０】
本実施例によれば、木ネジやくぎを使用することなく簡易かつ確実に補強材２４と棒材１８とを固着することができ、貯湯式電気温水器１０の上側を簡易に梱包枠体１６に固定してやることができる。なおかかる構成によれば、棒材１８と補強材２４とは着脱自在が容易であるため、梱包枠体１６から取り出した貯湯式電気温水器１０に棒材１８を取り付けたままにしてこれをその運搬時における持ち手として使用してやることができる。
【００４１】
以上説明したように本実施例の梱包枠体への貯湯式電気温水器の固定構造によれば、実施例１の効果加え貯湯タンクに取り付けた棒材と梱包枠体の上面をなす枠体の補強材との連結・固定を容易化し、また、棒材と補強材との着脱が自在であるため、棒材を貯湯式電気温水器の持ち運びの際の持ち手として利用する際の手間を削減することができる。
【００４２】
なお上記実施例では、パイプスペースの有効活用を主目的とした貯湯式電気温水器を梱包枠体に固定するための構造について説明したが、本発明はこれに限られるものではなく、円筒形状の貯湯タンクが露出した構造の貯湯式電気温水器の保管・搬送時にこれを保護するために使用される直方体枠形状の梱包枠体に貯湯式電気温水器を固定するものであれば上述した発明の実施の形態に限定されず、本発明の要旨を逸脱しない範囲で種々変更できることは勿論である。
【図面の簡単な説明】
【００４３】
【図１】貯湯式電気温水器をパイプスペース内に設置した状態を示した側面透視図である。
【図２】貯湯式電気温水器をパイプスペース内に設置した状態を示した正面透視図である。
【図３】貯湯式電気温水器等をスラブ面側から見上げた状態の透視図である。
【図４】挿入部の斜視図である。
【図５】梱包枠体に貯湯式電気温水器を収容した状態を示した側面図である。
【図６】梱包枠体に貯湯式電気温水器を収容した状態を示した正面図である。
【図７】梱包枠体に貯湯式電気温水器を収容した状態を示した平面図である。
【図８】貯湯タンクに挿入部を取り付けた状態を示した断面図である。
【図９】梱包枠体に貯湯式電気温水器を収容した状態を示した平面図である。
【図１０】第２実施例に用いられる梱包枠体の上面となる枠体の斜視図である。
【符号の説明】
【００４４】
１０    貯湯式電気温水器
１２    貯湯タンク
１６    梱包枠体
１８    棒材
２２    挿入部
２４    補強材
２６    カップ体
２８    脚部
３２    貫通孔
３４    凹穴
３６    ピン
３７    くぎ（木ネジ）
５０    パイプスペース
５３    天井
５５    スラブ
５７    開閉扉
５９ａ  電力幹線
５９ｂ  給水本管
５９ｂ’給水配管
５９ｃ  排水本管
５９ｃ’オーバーフロー配管
５９ｃ”ドレン配管
６１    量水器
６２    断熱材
６３    制御盤
６５    付帯設備群
６９    フランジ部
７１ａ  給湯配管
７１ｂ  送り配管
７１ｃ  戻り配管
７３    ボルト
【図１】
2006322652.tif 000003
【図２】
2006322652.tif 000004
【図３】
2006322652.tif 000005
【図４】
2006322652.tif 000006
【図５】
2006322652.tif 000007
【図６】
2006322652.tif 000008
【図７】
2006322652.tif 000009
【図８】
2006322652.tif 000010
【図９】
2006322652.tif 000011
【図１０】
2006322652.tif 000012